(57)【要約】      （修正有）【課題】構造及び操作が簡単で、安全で効果的な、手脚連動運動装置を提供する。【解決手段】手脚連動運動装置は、能動及び受動が相互に切り替わる運動を含む繰り返し運動であり、運動装置はベース１及び手部駆動要素２及び脚部駆動要素６及び連動装置Ａを含む。該手部駆動要素はベースの上端３ａに近い位置に枢設されて枢動することができ、該脚部駆動要素はベースの下端３ｂに近い位置に枢設されて枢動することができ、該連動装置はベースの中段に近い位置に取り付けられる。さらに、該手部駆動要素及び該脚部駆動要素の一端はそれぞれ該連動装置に接続され、手部駆動要素を操作することにより、連動装置を駆動して脚部駆動要素を連動させることができ、さらには手部駆動要素及び脚部駆動要素は、交互に繰り返し持ち上がる又は押し下げる動作を行うことができる。【選択図】図１
0003235245.tif 000002
【実用新案登録請求の範囲】
【請求項１】
ベースと；
前記ベースの上方に近い位置に枢設され、その延伸した一端が接続部に枢着される手部駆動要素と；
前記ベースの中間に近い位置に部分的に固定設置され、第１連動部及び第２連動部が相互に枢着してなり、第１連動部及び第２連動部は相互に枢動することができ、このうち前記第１連動部の延伸した一端が前記接続部に枢着される連動装置と；
前記ベースの下方に近い位置部分に枢着され、その延伸した一端が前記連動装置の第２連動部に枢着される脚部駆動要素と；を含み、
前記手部駆動要素を操作することにより、前記連動装置が前記脚部駆動要素を作動させることを達成し、さらに脚部駆動要素が相対して反対の操作により手部駆動要素を作動させることができ、これにより手部駆動要素及び脚部駆動要素が繰り返し、かつ交互に押し下げる又は持ち上がる動作を行うことを達成することを特徴とする、手脚連動運動装置。
【請求項２】
前記脚部駆動要素の前記調整端に複数の調節孔を有し、複数の前記調節孔は縦方向に間隔を開けて排列し、前記調整端にペダルが対応して取り付けられ、前記ペダルに取付孔を有し、前記ペダルをいずれか１つの調節孔に選択可能に対合させて取り付け、さらに固定部品を前記調節孔及び前記ペダルの取付孔に貫入して固定する、請求項１に記載の手脚連動運動装置。
【請求項３】
前記第１連動部及び第２連動部が少なくとも１本であり、２本ずつを互いに対応させて平行な１組として設置することができる、請求項１に記載の手脚連動運動装置。
【請求項４】
前記手部駆動要素がベースで軸回転することができ、さらに前記脚部駆動要素がベースで軸回転することができる、請求項１に記載の手脚連動運動装置。
【請求項５】
前記手部駆動要素が前記接続部に枢着されるが、これは取外し可能な回転軸要素により取り付けられ、このため前記手部駆動要素を収納するとき、前記回転軸要素を前記接続部及び前記手部駆動要素から取り外すことができ、さらには前記手部駆動要素を折り畳むことができる、請求項１に記載の手脚連動運動装置。
【請求項６】
前記ベースの下方に近い位置部分に他にスタンドが取り付けられ、前記スタンドは定位要素により前記ベースに取り付けられ、前記定位要素は取外し可能な部材であり、前記定位要素を前記ベースから取り外すことができ、さらには前記スタンドを折り畳むことができる、請求項１に記載の手脚連動運動装置。
【請求項７】
前記連動装置の第１連動部及び第２連動部がそれぞれ棒体であり、相互に枢着して連動することができ、それぞれ伝動ホイールでもあり、相互に伝動することができる、請求項１に記載の手脚連動運動装置。
【請求項８】
ベースと；
前記ベースの中間に近い位置に部分的に固定設置される連動装置と；
ベースの上方に近い位置に枢設され、その延伸した一端が前記連動装置に枢着される手部駆動要素と；
ベースの下方に近い位置部分に枢着され、その延伸した一端が前記連動装置部に枢着される脚部駆動要素と；
を含み、
前記手部駆動要素を操作することにより、前記連動装置を駆動し、前記脚部駆動要素を連動させて作動し、相対して脚部駆動要素は反対に操作することができ、さらには前記連動装置を駆動し、前記手部駆動要素を連動させて作動し、これにより手部駆動要素及び脚部駆動要素が繰り返し、かつ交互に押し下げる又は持ち上がる動作を行うことを達成する、手脚連動運動装置。
【請求項９】
前記手部駆動要素の延伸した一端が接続部に枢着され、前記連動装置は第１連動部及び第２連動部が相互に枢着してなり、第１連動部及び第２連動部は相互に枢動することができ、このうち前記第１連動部の延伸した一端が前記接続部に枢着され、さらに、前記脚部駆動要素の一端が前記連動装置の第２連動部に枢着される、請求項８に記載の手脚連動運動装置。
【請求項１０】
前記ベース及び手部駆動要素は、弾性要素により更に接続することができる、請求項１に記載の手脚連動運動装置。
【考案の詳細な説明】
【技術分野】
【０００１】
本考案は、手部及び脚部を動かす交互運動装置に関する。
【背景技術】
【０００２】
本分野において既知の多くのトレーニングマシーン、設備又は機器は、四肢を含む身体の筋肉を伸ばすのに用いられる。これらの機器又は設備は座席装置及び座席から延伸する脚支持部材を含み、使用者の脚部が支持部材上に位置するとき、適した作動装置により脚部の屈曲又は伸展を行う。これらの機器の目的は、使用者の上腕筋又は脚筋をトレーニングする強度を高めることである。
【０００３】
しかし、これらの設備は主に腕及び足関節に強大な負荷をかける。例えば米国特許第５２７７６８１号明細書は、いくつかの筋肉群に用いるやや複雑なストレッチマシーンを開示しており、該特許は足関節部分に負荷をかけ、さらに身体の回転などの運動を行う。既存技術において、既知のフィットネスマシーン及び推力と比較して強大な牽引力が必要であるか、又は足関節に強大な負荷をかけることが開示されており、明らかに過度に複雑であり、高い負荷をかけることを必要とする。
【先行技術文献】
【特許文献】
【０００４】
【特許文献１】米国特許第５２７７６８１号明細書
【考案の概要】
【考案が解決しようとする課題】
【０００５】
本考案の目的は手脚連動運動装置を提供することであり、該運動装置は構造及び操作において相対的に簡単で手軽であり、さらに使用者に対して安全でケガをしにくい。リハビリ運動を行う必要がある使用者にとって低強度であるが、効果的な運動を達成することができる。
【課題を解決するための手段】
【０００６】
主に使用者が能動的に腕又は脚を利用する交互駆動により、脚部又は手部及び腹部を対応して連動させ受動運動を行うことを使用者に提供する装置である。これは繰り返し運動であり、運動装置は
ベースと；
ベースの上方に近い位置に枢設され、その延伸した一端が接続部に枢着される手部駆動要素と；
該ベースの中間に近い位置に部分的に固定設置され、第１連動部及び第２連動部が相互に枢着してなり、第１連動部及び第２連動部が相互に枢動することができ、このうち該第１連動部の延伸した一端が該接続部に枢着される連動装置と；
ベースの下方に近い位置部分に枢着され、その延伸した一端が該連動装置の第２連動部に枢着される脚部駆動要素と；を含み、さらに該手部駆動要素２を操作することにより、該連動装置Ａが該脚部駆動要素６を作動させることを達成し、さらに脚部駆動要素６が相対して反対の操作により手部駆動要素２を作動させることができ、これにより手部駆動要素２及び脚部駆動要素６が繰り返し、かつ交互に押し下げる又は持ち上がる動作を行うことを達成する。
【図面の簡単な説明】
【０００７】
【図１】図１は、本考案の最適な実施立体図である。
【図２】図２は、図１の側面図である。
【図３】図３は、本考案における手部及び脚部の伸展運動を示した使用状態の実施例である。
【図４】図４は、図３で手部を押し下げたとき、脚部が持ち上がる運動を示した使用状態の実施図である。
【図５】図５は、本考案の別の実施例図である。
【図６】図６は、図５で手部を押し下げたとき、脚部が持ち上がる運動を示した使用状態の実施図である。
【考案を実施するための形態】
【０００８】
具体的な実施形態及び好ましい実施形態について、図１及び図２を参照されたい。例えば、第１部位、第２部位、第１端、第２端、第３端、上端、下端、前端、中端、下端などは実例を説明した記載であり、本案の特徴を制限するものではない。
【０００９】
運動装置は、第１部位ａ及び延伸した第２部位ｂ、第３部位ｃ及び第４部位ｄを有するベース１と；
第１端２ａ及び延伸した第２端２ｂ及び延伸した第３端２ｃを有し、該第２端２ｂがベース１の第１部位ａに枢設される手部駆動要素２と；
上端３ａ及び延伸した下端３ｂを有し；さらに、上端３ａは手部駆動要素２の第３端２ｃに枢着される接続部３と；
第１連動部４及び第２連動部５を含み、該第１連動部４は前端４ａ及び延伸した中端４ｂ及び延伸した後端４ｃを有し；さらに、該第２連動部５は第１枢着端５ａ及び延伸した第２枢着端５ｂを有し；さらに、該第１連動部４の前端４ａは接続部３の下端３ｂに枢着され、該中端４ｂはベース１の第２部位ｂに枢着され、その後端４ｃは該第２連動部５の第１枢着端５ａに枢着され；さらに、該第１連動部４及び第２連動部５は少なくとも１本であり、実施例中では２本ずつを互いに対応させて平行な１組として設置する連動装置Ａと；
第３枢着端６ａ及び延伸した第４枢着端６ｂ及び延伸した調整端６ｃを有し、該第３枢着端６ａが該第２連動部５の第２枢着端５ｂに枢設され、その第４枢着端６ｂがベース１の第３部位ｃに枢設される脚部駆動要素６であって；さらに、該調整端６ｃに複数の調節孔６２を有し、該複数の調節孔６２は縦方向に間隔を開けて排列し；該調整端６ｃにペダル６１が対応して取り付けられ、該ペダル６１に取付孔を有し、該ペダル６１をいずれか１つの調節孔６２に選択可能に対合させて取り付け、さらに固定部品６３を該調節孔６２及び該ペダル６１の取付孔に貫入して固定し、これにより該ペダル６１を該脚部駆動要素６の調整端６ｃの上位又は下位位置に調整することができ、該脚部駆動要素６の長さを調整することにより、使用者は駆動負荷を調整し、例えば該ペダル６１が該脚部駆動要素６の上位位置にあるとき、使用者は比較的大きな駆動力を加えなければならず、該ペダル６１が該脚部駆動要素６の下位位置にあるとき、使用者は比較的小さな駆動力を加える脚部駆動要素６と；を含む。
さらに、該手部駆動要素２はベース１の第１部位ａ部分で軸回転することができ；さらに、該脚部駆動要素６はベース１の第３部位ｃ部分で軸回転することができる。
さらに、該手部駆動要素２は１組の連動装置Ａにより、該脚部駆動要素６を連動させて作動することができ、これにより手部駆動要素２及び脚部駆動要素６の連動運動を提供する。従って手部及び脚部を持ち上げる又は押し下げる伸展運動を行い、さらに手部及び脚部を利用して伸展運動をするとき、使用者の腹部に負荷をかけて腹部の運動も達成する。
【００１０】
さらに、該手部駆動要素２の第１端２ａにグリップ２１が設けられる。
さらに、該手部駆動要素２の第３端２ｃが該接続部３の上端３ａに枢着されるが、これは取外し可能な回転軸要素２２により取り付けられる。このため該手部駆動要素２を収納するとき、該回転軸要素２２を該接続部３及び該手部駆動要素２から取り外すことができ、さらには該手部駆動要素２を下に折り畳むことができる。収納が便利であり、包装材の体積を節約する。
さらに、該ベース１の第２部位ｂにスタンド１２が取り付けられ、該スタンド１２は定位要素１３により該ベース１に取り付けられる。該定位要素１３は取外し可能な部材であり、該定位要素１３を該ベースの第２部位ｂから取り外すことができ、さらには該スタンド１２を内側に折り畳むことができる。収納が便利であり、包装材の体積を節約する。
さらに、該第４部位ｄに支持台が設けられる。
【００１１】
さらに、図２に示すように、該ベース１及び手部駆動要素２は弾性要素７により更に接続することができる。これにより手部駆動要素２を押し下げる操作時に加える力を高めることができ、操作者が運動時に加える力を高める。
【００１２】
続いて、本考案の最適な実施例の操作は図３から図４に示す通りであり、本考案の操作の実施例は図３に示す通りである。使用者は座席に座らなければならず、運動するとき、手を手部駆動要素２に置き、同時に脚は脚部駆動要素６のペダル６１に置く。続いて、図４を参照されたい。使用者が手をグリップ２１に置き、グリップ２１部分から能動的に手部駆動要素２を押し下げると、同時に接続部３が連動して上に上がり、相対して第１連動部４を枢動させ、仰角を呈して上に上がる。同時に第１連動部４が第２連動部５を押動して押し下げ、さらには脚部駆動要素６が一端に向かって持ち上がる。図に示すように、使用者の脚が受動的に折れ曲がって持ち上がり、相対してその腹部も脚により負荷がかかる。この交互の操作は、使用者が再び能動的に脚で該ペダル６１を押し下げると、第２連動部５及び第１連動部４が接続部３と連動する。該接続部３が引き下げられると、該手部駆動要素２の第３端２ｃは該接続部３に連動して引き下げられ、仰角を呈して持ち上がり、相対して使用者のグリップ２１上の手は、持ち上げられて図３に示す状態を回復する。従って腕が引き上げられて伸展する受動運動を行い、これにより繰り返し能動及び受動を交換する操作は、気軽に運動するフィットネス効果を達成する。
【００１３】
また、図５は本考案の別の実施例であり、このうち該連動装置Ａは第１伝動ホイール４’及び第２伝動ホイール５’から構成することができる。例えば該第１伝動ホイール４’の円周面の一端に該接続部３が枢着され、該第２伝動ホイール５’の円周面の一端に該脚部駆動要素６が枢着され；さらに、該第１伝動ホイール４’は該第２伝動ホイール５’を対応して動かす。続いて図６を参照されたい。使用者は座席に座り、手で該グリップ２１を把持し、脚は該ペダル６１に置く。その後グリップ２１を押し下げると、手部駆動要素２は同時に接続部３を動かして引き上げ、このとき第１伝動ホイール４’は接続部３により一方向に回転し、互いに対応して第２伝動ホイール５’に伝動し、一方向に回転させる。このとき脚部駆動要素６は引き上げられ、相対して使用者の脚は屈曲して持ち上がる。この交互の操作は、使用者が再び能動的に脚で該ペダル６１を押し下げると、連動する第２伝動ホイール５’が第１伝動ホイール４’を逆の方向に回転させ、接続部３を対応して連動させる。該接続部３が引き下げられると、該手部駆動要素２の第３端２ｃは該接続部３により引き下げられ、仰角を呈して持ち上がり、図５に示す状態を回復する。相対して使用者のグリップ２１上の手は上に持ち上がり、従って腕は引き上げられて伸展する受動運動を行い、これにより繰り返し能動及び受動を交換する操作は、気軽に運動するフィットネス効果を達成する。
【００１４】
本考案により、多くの利点を実現した。他に、明確に理解する目的のためだけに先に詳細に記載したことを理解すべきであり、さらにここからいかなる不必要な制限も理解すべきでない。これは修正が当業者にとって明らかなためである。
【符号の説明】
【００１５】
１  ベース
ａ  第１部位
ｂ  第２部位
ｃ  第３部位
ｄ  第４部位
１２  スタンド
２  手部駆動要素
２１  グリップ
２ａ  第１端
２ｂ  第２端
２ｃ  第３端
３  接続部
３ａ  上端
３ｂ  下端
Ａ  連動装置
４  第１連動部
５  第２連動部
４ａ  前端
４ｂ  中端
４ｃ  後端
６  脚部駆動要素
６ａ  第３枢着端
６ｂ  第４枢着端
６ｃ  調整端
６１  ペダル
６２  調節孔
６３  固定部品
７  弾性要素
２２  回転軸要素
１２  スタンド
４’  第１伝動ホイール
５’  第２伝動ホイール
５ａ  第１枢着端
５ｂ  第２枢着端
１３  定位要素
【図１】
0003235245.tif 000003
【図２】
0003235245.tif 000004
【図３】
0003235245.tif 000005
【図４】
0003235245.tif 000006
【図５】
0003235245.tif 000007
【図６】
0003235245.tif 000008